(57)【特許請求の範囲】
【請求項１】
パネル体の上端部に設けた固定金具を天井下面に設けた天井レールに固定するにあたり、前記天井レールは、天井板に固定される跨部と、該跨部の両端縁部から垂下する両脚部とを備えた冂字形をし、前記固定金具は、パネル体上端部に設けた凹溝に内嵌し、該凹溝の溝底に固定される固定片と、前記天井レールの脚部外側面に対向する対向片とを備えて構成され、固定金具の対向片には、パネル体の上端から上方に延出して固定金具を天井レールにビス固定するための固定片部が設けられ、跨部と両脚部とを備えた凵字形をした補強材の前記両脚部が、前記天井レールの両脚部の内側面に対向する状態で内嵌するものであり、該補強材の一方の脚部のパネル体上端から上方に延出した延出部が、前記固定金具の固定片部から螺入したビスにより天井レール脚部をあいだに挟む状態で固定片部に固定されることを特徴とするパネル体の天井への固定構造。
【請求項２】
固定金具は、凵字形またはＬ字形をしていることを特徴とする請求項１記載のパネル体の天井への固定構造。
【請求項３】
固定片部は、ビスのビス頭とほぼ同じ大きさの舌片であり、該舌片は、間隔を存して複数設けられていることを特徴とする請求項１または２記載のパネル体の天井への固定構造。
【請求項４】
補強材跨部には、天井レール脚部の下端縁を越えて固定金具対向片に対向する対向端部が設けられていることを特徴とする請求項１乃至３の何れか１記載のパネル体の天井への固定構造。
【発明の詳細な説明】
【技術分野】
【０００１】
本発明は、トイレブース等に用いられるパネル体の天井への固定構造の技術分野に関するものである。
【背景技術】
【０００２】
一般に、トイレブースはパネル体を用いて便器の周囲を囲撓することになるが、このようなパネル体において、例えばドアが設けられる正面パネルのように、上端部が天井に固定支持されるものがある。この場合にパネル体は、従来、天井面に固定した冂字形の天井レールに、パネル体の上端部に設けた凵字形の固定金具を内嵌し、天井レールの脚部から螺入したビスにより天井レールと固定金具とを固定するようにしていた（特許文献１図４参照。）。
【先行技術文献】
【特許文献】
【０００３】
【特許文献１】特開２０１６−６９８５５号公報
【発明の概要】
【発明が解決しようとする課題】
【０００４】
ところがトイレブースにおいて、天井面と床面とのあいだの寸法が現場ごとに相違することがあり、このような場合に、寸法違いが僅かである場合、パネル体については共通化し、固定金具の天井レールに対する嵌合代の調整、つまり固定金具の上端縁位置が天井レール内において上下変位することで対応させることになる。このようなものにおいて、短い固定金具は天井レールに内嵌しているため脚部が直接見えず、このため天井レールの脚部からビスを螺入して固定金具と天井レールとを固定する場合に、予め固定金具の脚部位置を把握しておかないと、ビスが固定金具に螺入しなかったり、固定金具の端縁部に螺入することになって確実な固定がなされないようなことが予想され、このようなことになると、パネル体の天井への固定強度不足が発生するという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、パネル体の上端部に設けた固定金具を天井下面に設けた天井レールに固定するにあたり、前記天井レールは、天井板に固定される跨部と、該跨部の両端縁部から垂下する両脚部とを備えた冂字形をし、前記固定金具は、パネル体上端部に設けた凹溝に内嵌し、該凹溝の溝底に固定される固定片と、前記天井レールの脚部外側面に対向する対向片とを備えて構成され、固定金具の対向片には、パネル体の上端から上方に延出して固定金具を天井レールにビス固定するための固定片部が設けられ、跨部と両脚部とを備えた凵字形をした補強材の前記両脚部が、前記天井レールの両脚部の内側面に対向する状態で内嵌するものであり、該補強材の一方の脚部のパネル体上端から上方に延出した延出部が、前記固定金具の固定片部から螺入したビスにより天井レール脚部をあいだに挟む状態で固定片部に固定されることを特徴とするパネル体の天井への固定構造である。
請求項２の発明は、固定金具は、凵字形またはＬ字形をしていることを特徴とする請求項１記載のパネル体の天井への固定構造である。
請求項３の発明は、固定片部は、ビスのビス頭とほぼ同じ大きさの舌片であり、該舌片は、間隔を存して複数設けられていることを特徴とする請求項１または２記載のパネル体の天井への固定構造である。
請求項４の発明は、補強材跨部には、天井レール脚部の下端縁を越えて固定金具対向片に対向する対向端部が設けられていることを特徴とする請求項１乃至３の何れか１記載のパネル体の天井への固定構造である。
【発明の効果】
【０００６】
請求項１、４の発明とすることにより、外観視される固定金具の固定片部からビス固定できることになってパネル体の天井レールへの固定が確実になると共に、パネル体上端部の天井への固定強度がより向上する。
請求項２の発明とすることにより、構造が簡単な固定金具とすることができる。
請求項３の発明とすることにより、パネル体上端縁から突出する固定片部である舌片がビス頭に隠された状態になって外観を損なうことがないと共に、固定金具の天井レールへの固定がより確実になる。
【図面の簡単な説明】
【０００７】
【図１】（Ａ）（Ｂ）はトイレブースの平面図、正面図である。
【図２】（Ａ）はパネル体の天井レール部位の水平断面図、（Ｂ）は天井固定部位の正面図である。
【図３】パネル体の天井固定部位の拡大縦断面図である。
【図４】（Ａ）（Ｂ）（Ｃ）（Ｄ）（Ｅ）は固定金具の正面図、側面図、背面図、平面図、斜視図である。
【図５】第二の実施の形態を示すパネル体の天井固定部位の拡大縦断面図である。
【発明を実施するための形態】
【０００８】
以下、本発明の実施の形態について、図面に基づいて説明する。図面において、１はトイレブースを構成するためのパネル体（正面パネル体）であって、該パネル体１は、出入り口となる開口部を形成するものであり、該開口部には上端部が天井板Ｃとのあいだに間隙ができる高さのドア体２が開閉自在に設けられている。そしてパネル体１は、床面Ｆから天井板Ｃにまで至る長大なもので構成され、該パネル体１の上端部の天井板Ｃへの固定構造に本発明が実施されており、以下、その構造について具体的に説明する。
【０００９】
前記天井板Ｃの上面には天井下地３が設けられ、天井板Ｃの下面に配された冂字形をしたパネル体１の幅と同寸法の天井レール４の跨部４ａが、天井板Ｃを貫通したビス５を介して天井下地３に螺入することで固定されると共に、図３から明らかなように該跨部４ａの両端縁部から垂下する状態で両脚部４ｂとを備えた冂字形をしている。尚、本実施の形態では、天井レール４は、パネル体１と同寸法とすることでドア体２の上部にはない構造になっているが、ドア体２の上部にまで至る長尺物を採用することもできる。
因みに本実施の形態では、天井レール４を補強するため、両脚部４ｂ間に凵字形をした後述する補強材６が内嵌されている。
【００１０】
７はパネル体１の上端部に間隔を存して複数設けられる固定金具であって、該固定金具７は、凵字形をし、跨部（本発明の「固定片」に相当する。）７ａがパネル体１の上端部に設けた凹溝１ａの溝底にビス８を介して固定されるが、この固定状態で、固定金具７は、両脚部（本発明の「対向片」に相当する。）７ｂの上端縁７ｃがパネル体１の上端縁とほぼ一致するようにして凹溝１ａに形成の幅広部１ｂに内嵌されている。
【００１１】
そして固定金具７には、前記天井レール４の脚部４ｂが内嵌する、つまり天井レール４に固定金具７が外嵌するが、一方（例えばトイレ室内側）の脚部７ｂには、ビス孔７ｄが形成された一対（複数）の舌片７ｅがパネル体１の幅方向に間隔を存する状態で上方に向けて延出されているが、該舌片７ｅの大きさは、固定金具７を天井レール４に固定するためのビス９のビス頭９ａとほぼ同じ大きさとなるように設定されている。尚、舌片７ｅは両脚部７ｂに設けたものとしてもよく、また一方の脚片７ｂに一つだけ設けたものであってもよい。
前記天井レール４を補強するため、両脚部４ｂ間に内嵌される補強材６は、図３から明らかなように、跨部６ａと両脚部６ｂとを備えた凵字形をし、該補強材６の前記両脚部６ｂが、前記天井レール４の脚片４ｂの内側面に対向する状態で内嵌している。
そして前記固定金具７を天井レール４に固定するためのビス９は、補強材６の脚部にも螺入することになって、天井レール４の更なる補強をするように構成されたものであるが、図３から明らかなように、補強材脚部６ｂには、固定金具７に設けた舌片７ｅと同様、パネル体１上端から上方に延出した延出部６ｃが設けられており、該延出部６ｃは、前記固定金具７の固定片部７ｅから螺入したビス９により天井レール脚部４ｂ（舌片７ｅ）をあいだに挟む状態で固定片部７ｅに固定されている。
さらに補強材６には、図３から明らかなように、跨部６ａの端縁部が、天井レール脚部４ｂの下端縁を越えて固定金具７の対向片７ｂに対向するよう突出した対向端部６ｄが設けられた構成になっている。
【００１２】
叙述の如く構成された本実施の形態において、パネル体１の上端部に設けた固定金具７を、天井板Ｃの下面に設けた天井レール４にビス９を介して固定することになるが、前記固定金具７は、パネル体１の上端部に設けた凹溝１ａに内嵌すべく凵字形をし、そして両脚部７ｂが、冂字形をした天井レール４に外嵌するものであり、固定金具の一方の脚部７ｂには、パネル体１の上端から上方に向けて延出した舌片７ｅが設けられている。この舌片７ｅに形成されたビス孔７ｄからビス９を螺入することで、固定金具７、天井レール４、そして補強材６がビス固定されることになる。
【００１３】
このように固定金具７と天井レール４とをビス固定する際に、固定金具７側の舌片７ｅが天井レール４の外側で直接視認されるため、ビス９の螺入ミスがなく、固定金具７と天井レール４とを確実に固定できることになる。
【００１４】
しかも舌片７ｅは間隔を存して一対が設けられているため固定金具７と天井レール４との固定が確りしたものになるが、このような複数のビス固定も確実になる。
【００１５】
そのうえ舌片７ｅは、ビス９のビス頭９ａとほぼ同じ大きさに設定されているから、ビス９による固定をしたときに舌片７ｅがビス頭９ａからはみ出してしまうことが回避されて外観を損なうことがない。
そしてこのものでは、隣接する舌片７ｅ間の脚部７ｂの上端は、パネル体１の上端と略一致しているため、舌片７ｅがパネル体１の上端から上方に延設した状態でも脚部７ｂが視認されることがなく、外観性を損なうことがない。
さらに天井レール４は、固定金具７に内嵌するものであるため、固定金具を天井レールに内嵌する場合のように、固定部材に邪魔されることなく天井レール４内に補強材６を内嵌することができることになり、作業性に優れると共に、強度アップが図れることになる。
【００１６】
尚、本発明は、前記実施の形態に限定されないものであることは勿論であって、図５に示す第二の実施の形態の固定金具１０のように、Ｌ字形をし、横向きの固定片１０ａがパネル体１の凹溝１ａの溝底にビス８を介して固定され、この固定状態で、固定金具１０は、縦向きで天井レール４の一方の脚片４ｂの外側面に対向する対向片１０ｂの上端縁１０ｃがパネル体１の上端縁とほぼ一致するようにして凹溝１ａの前後方向一方に形成の幅広部１ｂに内嵌されている。そして対向片１０ｂの上端部１０ｃには、ビス孔１０ｄが形成され、上方に向けて延出された舌片１０ｅが少なくとも１個形成され、ビス９を介して天井レール４に固定されている。尚、舌片１０ｅの大きさは、ビス９のビス頭９ａとほぼ同じ大きさとなるように設定されていることは言うまでもない。そしてこの場合には、広幅部１ｂは対向片１０ｂが設けられる側だけに設ければよいことになる。
【産業上の利用可能性】
【００１７】
本発明は、トイレブース等に用いられるパネル体の天井への固定構造として利用することができる。
【符号の説明】
【００１８】
１  パネル体
１ａ  凹溝
４  天井レール
４ａ  跨部
４ｂ  脚部
６  補強材
７  固定金具
７ａ  跨部
７ｂ  脚部
７ｃ  上端縁
７ｄ  ビス孔
７ｅ  舌片
９  ビス
９ａ  ビス頭
１０  固定金具（第二の実施の形態）
Ｃ  天井板
【図１】
0006943585.tif 000002
【図２】
0006943585.tif 000003
【図３】
0006943585.tif 000004
【図４】
0006943585.tif 000005
【図５】
0006943585.tif 000006